【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
第１の感光体と、第１の静電潜像を形成するために前記第１の感光体を露光する第１の光学ユニットと、前記第１の感光体上の前記第１の静電潜像を現像する第１の現像器とを有し、第１色の第１画像を形成する第１画像形成手段と、
第２の感光体と、第２の静電潜像を形成するために前記第２の感光体を露光する第２の光学ユニットと、前記第２の感光体上の前記第２の静電潜像を現像する第２の現像器とを有し、前記第１色と異なる第２色の第２画像を形成する第２画像形成手段と、
前記第１画像と前記第２画像とが転写される中間転写体と、
前記中間転写体に転写された前記第１画像と前記第２画像とをシートへ転写する転写手段と、
前記第１の光学ユニットに設けられた回路基板に配置され、第１の温度を検知する第１の温度検知手段と、
前記第１の光学ユニットと異なる位置に配置され、第２の温度を検知する第２の温度検知手段と、
前記第１の温度検知手段および前記第２の温度検知手段から離れた位置に配置され、第３の温度を検知する第３の温度検知手段と、
前記中間転写体に形成された色ずれ検知パターンを測定する測定手段と、
前記第１画像形成手段と前記第２画像形成手段とに前記色ずれ検知パターンを形成させ、前記測定手段に前記色ずれ検知パターンを測定させ、色ずれを前記色ずれ検知パターンの測定結果に基づいて検知する検知手段と、
前記色ずれを補正するために用いられる第１情報を前記第１の温度検知手段の検知結果に基づいて生成する第１生成手段と、
前記色ずれを補正するために用いられる第２情報を前記第２の温度検知手段の検知結果に基づいて生成する第２生成手段と、
前記第１画像形成手段により形成される前記第１色の画像の画像形成位置を、前記検知手段により検知された前記色ずれと、前記第１情報と、前記第２情報とに基づいて制御する制御手段と、を有し、
前記第１の温度が前記第３の温度よりも所定温度以上高い場合、前記制御手段は、前記検知手段により検知された前記色ずれと、前記第１情報と異なる他の第１情報と、前記第２情報とに基づいて前記画像形成位置を制御することを特徴とする画像形成装置。
【請求項２】
前記第３の温度検知手段により検知される前記第３の温度は前記画像形成装置の周囲の温度に相当することを特徴とする請求項１に記載の画像形成装置。
【請求項３】
前記回路基板は前記第１の光学ユニットの筐体の外部に取り付けられることを特徴とする請求項１又は２に記載の画像形成装置。
【請求項４】
前記第１生成手段は、前記第１の温度検知手段の検知結果と前記第１の温度検知手段の前回の検知結果とに基づいて前記第１情報を生成し、
前記第２生成手段は、前記第２の温度検知手段の検知結果と前記第２の温度検知手段の前回の検知結果とに基づいて前記第２情報を生成することを特徴とする請求項１乃至３のいずれか一項に記載の画像形成装置。
【請求項５】
前記第１色はブラックであり、
前記第２色は前記ブラック以外の有彩色であることを特徴とする請求項１乃至４のいずれか一項に記載の画像形成装置。
【請求項６】
第１の感光体と、第１の静電潜像を形成するために前記第１の感光体を露光する第１の光学ユニットと、前記第１の感光体上の前記第１の静電潜像を現像する第１の現像器とを有し、第１色の第１画像を形成する第１画像形成手段と、
第２の感光体と、第２の静電潜像を形成するために前記第２の感光体を露光する第２の光学ユニットと、前記第２の感光体上の前記第２の静電潜像を現像する第２の現像器とを有し、前記第１色と異なる第２色の第２画像を形成する第２画像形成手段と、
前記第１画像と前記第２画像とが転写される中間転写体と、
前記中間転写体に転写された前記第１画像と前記第２画像とをシートへ転写する転写手段と、
前記第１の光学ユニットに設けられた回路基板に配置され、第１の温度を検知する第１の温度検知手段と、
前記第１の光学ユニットと異なる位置に配置され、第２の温度を検知する第２の温度検知手段と、
前記第１の温度検知手段および前記第２の温度検知手段から離れた位置に配置され、第３の温度を検知する第３の温度検知手段と、
前記中間転写体に形成された色ずれ検知パターンを測定する測定手段と、
前記第１画像形成手段と前記第２画像形成手段とに前記色ずれ検知パターンを形成させ、前記測定手段に前記色ずれ検知パターンを測定させ、色ずれを前記色ずれ検知パターンの測定結果に基づいて検知する検知手段と、
前記色ずれを補正するために用いられる第１情報を前記第１の温度検知手段の検知結果に基づいて生成する第１生成手段と、
前記色ずれを補正するために用いられる第２情報を前記第２の温度検知手段の検知結果に基づいて生成する第２生成手段と、
前記第１画像形成手段により形成される前記第１色の画像の画像形成位置を、前記検知手段により検知された前記色ずれと、前記第１情報と、前記第２情報とに基づいて制御する制御手段と、を有し、
前記第１の温度が前記第３の温度よりも所定温度以上高い場合、前記制御手段は、前記検知手段により検知された前記色ずれと、前記第２情報とに基づいて前記画像形成位置を制御することを特徴とする画像形成装置。
【請求項７】
前記第３の温度検知手段により検知される前記第３の温度は前記画像形成装置の周囲の温度に相当することを特徴とする請求項６に記載の画像形成装置。
【請求項８】
前記回路基板は前記第１の光学ユニットの筐体の外部に取り付けられることを特徴とする請求項６又は７に記載の画像形成装置。
【請求項９】
前記第１生成手段は、前記第１の温度検知手段の検知結果と前記第１の温度検知手段の前回の検知結果とに基づいて前記第１情報を生成し、
前記第２生成手段は、前記第２の温度検知手段の検知結果と前記第２の温度検知手段の前回の検知結果とに基づいて前記第２情報を生成することを特徴とする請求項６乃至８のいずれか一項に記載の画像形成装置。
【請求項１０】
前記第１色はブラックであり、
前記第２色は前記ブラック以外の有彩色であることを特徴とする請求項６乃至９のいずれか一項に記載の画像形成装置。
【手続補正２】
【補正対象書類名】明細書
【補正対象項目名】００１１
【補正方法】変更
【補正の内容】
【００１１】
上記課題を解決するために、本発明の画像形成装置は、第１の感光体と、第１の静電潜像を形成するために前記第１の感光体を露光する第１の光学ユニットと、前記第１の感光体上の前記第１の静電潜像を現像する第１の現像器とを有し、第１色の第１画像を形成する第１画像形成手段と、第２の感光体と、第２の静電潜像を形成するために前記第２の感光体を露光する第２の光学ユニットと、前記第２の感光体上の前記第２の静電潜像を現像する第２の現像器とを有し、前記第１色と異なる第２色の第２画像を形成する第２画像形成手段と、前記第１画像と前記第２画像とが転写される中間転写体と、前記中間転写体に転写された前記第１画像と前記第２画像とをシートへ転写する転写手段と、前記第１の光学ユニットに設けられた回路基板に配置され、第１の温度を検知する第１の温度検知手段と、前記第１の光学ユニットと異なる位置に配置され、第２の温度を検知する第２の温度検知手段と、前記第１の温度検知手段および前記第２の温度検知手段から離れた位置に配置され、第３の温度を検知する第３の温度検知手段と、前記中間転写体に形成された色ずれ検知パターンを測定する測定手段と、前記第１画像形成手段と前記第２画像形成手段とに前記色ずれ検知パターンを形成させ、前記測定手段に前記色ずれ検知パターンを測定させ、色ずれを前記色ずれ検知パターンの測定結果に基づいて検知する検知手段と、前記色ずれを補正するために用いられる第１情報を前記第１の温度検知手段の検知結果に基づいて生成する第１生成手段と、前記色ずれを補正するために用いられる第２情報を前記第２の温度検知手段の検知結果に基づいて生成する第２生成手段と、前記第１画像形成手段により形成される前記第１色の画像の画像形成位置を、前記検知手段により検知された前記色ずれと、前記第１情報と、前記第２情報とに基づいて制御する制御手段と、を有し、  前記第１の温度が前記第３の温度よりも所定温度以上高い場合、前記制御手段は、前記検知手段により検知された前記色ずれと、前記第１情報と異なる他の第１情報と、前記第２情報とに基づいて前記画像形成位置を制御することを特徴とする。